(57)【要約】【課題】  高温になった空気を外部に確実に排出すると共に、部品点数を抑えて低コスト化を図った放熱構造を備えた表示装置を提供する。【解決手段】  表示パネル２０の動作時に、電源基板２１に実装された発熱部品の熱が筐体２内の空気に伝達され、高温で熱くなった空気は自然対流により上昇し、バックキャビネット４の上面の排気孔１２から排出される。これに伴いバックキャビネット４の下面の吸気孔１０から外気が流入され、筐体２内の空気を下側から上側に向かって押し上げて排出するので、筐体２内の空気が高温になることを解消でき、強制的に吸排気を行うことが可能なことから送風ファンが不要となりコストを抑えることができる。【選択図】      図３
2007086444.tif 000002
【特許請求の範囲】
【請求項１】
映像を表示する表示パネルを筐体に収納した表示装置において、前記表示パネルの動作時に前記筐体内で発熱する発熱部品を備え、前記筐体の上面にこの筐体内で高温になった空気を排出する複数の排気孔を設けると共に、前記筐体の下面に外気を取り入れる複数の吸気孔を設けたことを特徴とする表示装置。
【請求項２】
映像を表示する表示パネルをフロントキャビネット内に組み付け、このフロントキャビネットと一体的に組み付けられるバックキャビネットを備えた表示装置において、前記表示パネルの動作時に高温に発熱する発熱部品を前記フロントキャビネットとバックキャビネットとからなる筐体内に備え、前記バックキャビネットの上面に前記筐体内で高温になった空気を排出する複数の排気孔を設けると共に、前記バックキャビネットの下面に外気を取り入れる複数の吸気孔を設けたことを特徴とする表示装置。
【請求項３】
前記高温になった空気を前記排気孔に誘導する遮蔽板を前記筐体内の上部に設けたことを特徴とする請求項１又は請求項２に記載の表示装置。
【請求項４】
前記発熱部品が、表示パネルを動作させるための電源基板に実装してあり、前記電源基板には前記発熱部品の熱を放出する放熱部材を備えていることを特徴とする請求項１乃至請求項３の何れか１項に記載の表示装置。
【請求項５】
前記電源基板を筐体に設けた外気を取り入れる複数の吸気孔と前記筐体内で高温になった空気を排出する排気孔との間で表示パネルの背面側に配置したことを特徴とする請求項４に記載の表示装置。
【発明の詳細な説明】
【技術分野】
【０００１】
本発明は、高温に発熱する発熱部品を内部に備えた表示装置に関し、より詳しくは、前記発熱部品によって筐体内部に発生した高温の熱を外部に排出する放熱構造を備えた表示装置に関する。
【背景技術】
【０００２】
従来から利用されている表示装置は、一般的に映像を表示するための表示パネルが大画面であり、全体形状の奥行き寸法が小さい薄型であることが特徴となっている。このような薄型表示装置の代表的な製品として液晶テレビやプラズマディスプレイ装置などがあり、これら製品には省スペースでの設置を可能とする前述の特徴を有する反面、筐体の内部において表示パネルを含む複数の電子部品を限られたスペース内に収めることが必要となる。又、筐体内部に配置する電子部品から発生する熱を如何に効率的に筐体の外部へと排出するかが課題の一つとされている。特にプラズマディスプレイ装置などの大画面の表示パネルを備えた表示装置においては、前記表示パネルを動作させるための電源基板の発熱量が大きいことが問題点として挙げられる。さらに詳述すれば、前記電源基板に配置する発熱部品の熱を放出するために放熱部材が取り付けてあり、この放熱部材を介して前記発熱部品より発生する高温の熱を放出することとなるが、放出された熱はそのままでは筐体の内部に蓄積してしまうため、前記筐体の外部へと排出する手段が必要となる。一般的な表示装置においては、例えば、特許文献１〜５などに示すように、筐体内で発生した熱を効果的に排出するために、筐体内で高温になった空気を送風ファンにより強制的に排出する構造が開示されている。また、一般的な表示装置においては、例えば特許文献１に開示されているように、筐体の前面側に表示パネルが組み付けられていることから、筐体内に送風ファンを設けるとなると、設計上、前記筐体の背面内側に取り付ける場合がほとんどである。
【０００３】
また、特許文献６には、表示パネルから発生する熱を筐体外に放出するために、テレビ映像を表示する表示面の周辺である、筐体の前面に複数の穴を形成し、この穴から表示パネルより発生する熱を放熱する構造が開示されている。
【０００４】
【特許文献１】特開平１０−１１７３１５号公報
【特許文献２】特開平１０−１７１３６０号公報
【特許文献３】特開平１０−２３３９７９号公報
【特許文献４】特開平１１−１５３９５９号公報
【特許文献５】特開平１１−２８４３７９号公報
【特許文献６】特開平９−２６１５５７号公報
【発明の開示】
【発明が解決しようとする課題】
【０００５】
しかし、特許文献１〜５のように、放熱のために送風ファンを筐体内に設けるとなると、送風ファンとそれを組み付ける作業工程が必要となるので、部品点数が多くなり製造コストの上昇を招いてしまい、コストを安価に抑えることができない。しかも、特許文献１のように、送風ファンを筐体の背面内側に設け、この背面に形成した排気穴から空気を排気する構造では、表示装置を壁掛けで設置する場合には排気穴が壁に接触して閉塞されてしまうので、好適ではない。また、特許文献６では、筐体に水平に穴が形成されているので、熱せられた空気が、温度の上昇に伴い上方に移動した際、その空気の移動方向とは異なる、水平方向に穴が形成されていることから、送風ファンで強制的に空気を排出しなければ、スムーズに空気を排出できない。
【０００６】
本発明は上記課題に鑑みてなされたものであり、筐体内部において高温になった空気を確実に排出し、また、部品点数を抑えることで低コスト化を図った放熱構造を備えた表示装置を提供することを目的とする。
【課題を解決するための手段】
【０００７】
請求項１に係る表示装置は、映像を表示する表示パネルを筐体に収納した表示装置において、前記表示パネルの動作時に前記筐体内で発熱する発熱部品を備え、前記筐体の上面にこの筐体内で高温になった空気を排出する複数の排気孔を設けると共に、前記筐体の下面に外気を取り入れる複数の吸気孔を設けたことを特徴とする。
【０００８】
請求項１の構成により、表示装置の動作状態、即ち、表示パネルに映像が表示されているときに、筐体内に配置されている発熱部品より発生する熱によって前記筐体内の空気が熱くなると、高温になった空気は自然対流により上昇し、筐体の上面に設けた排気孔から排出され、これに伴い外気が吸気孔から筐体内に流入し、さらに吸気孔から筐体内に流入した外気が、筐体内で熱くなった空気を下側から上側に向かって押し上げるので、筐体内に高温の空気が籠もることなく排気孔からスムーズに排出される。
【０００９】
請求項２に係る表示装置は、映像を表示する表示パネルをフロントキャビネット内に組み付け、このフロントキャビネットを一体的に組み付けられるバックキャビネットを備えた表示装置において、前記表示パネルの動作時に高温に発熱する発熱部品を前記フロントキャビネットとバックキャビネットとからなる筐体内に備え、前記バックキャビネットの上面に前記筐体内で高温になった空気を排出する複数の排気孔を設けると共に、前記バックキャビネットの下面に外気を取り入れる複数の吸気孔を設けたことを特徴とする。
【００１０】
請求項２の構成により、表示装置の表示パネルを筐体の前面側を担うフロントキャビネットに組み付け、前記筐体の後面側を担うバックキャビネットの上面に複数の排気孔を設け、前記バックキャビネットの下面には複数の吸気孔を設けて、前記フロントキャビネットに前記バックキャビネットを組み付けた構造としているため、前記表示パネルの動作時において筐体内に取り付けた発熱部品により発生する高温の空気を排気孔より排出し、あわせて外気を吸気孔から流入することから、筐体内で熱くなった空気を下側から上側に向かって押し上げるので、筐体内に高温の空気が籠もることなく排気孔からスムーズに排出される。
【００１１】
請求項３に係る表示装置は、請求項１又は請求項２に記載の表示装置において、前記高温になった空気を前記排気孔に誘導する遮蔽板を前記筐体内の上部に設けたことを特徴とする。
【００１２】
請求項３の構成により、筐体内の高温の空気が上昇し、自然対流により上昇した空気が遮蔽板に当たると、この空気は遮蔽板の表面に沿って移動し、排気孔を介して排出されるので、筐体の上部の隙間などに高温の空気が流入し蓄積されることを抑えることが可能となる。
【００１３】
請求項４に係る表示装置は、請求項１乃至請求項３の何れか１項に記載の表示装置において、前記発熱部品が、表示パネルを動作させるための電源基板に実装してあり、前記電源基板には前記発熱部品の熱を放出する放熱部材を備えていることを特徴とする。
【００１４】
請求項４の構成により電源基板に実装された発熱部品が表示パネルの動作に伴って発熱し、同じく電源基板に備えた放熱部材を介して前記発熱部品の熱を筐体内に放出し、この放出された高温を前記筐体の上面に設けた排気孔より外部へと排出し、あわせて外気を吸気孔から流入することから、筐体内で熱くなった空気を下側から上側に向かって押し上げるので、電源基板に備えた発熱部品より発生する高温の空気が筐体内に籠もることなく排気孔からスムーズに排出される。
【００１５】
請求項５に係る表示装置は、請求項４に記載の表示装置において、前記電源基板を筐体に設けた外気を取り入れる複数の吸気孔と前記筐体内で高温になった空気を排出する排気孔との間で表示パネルの背面側に配置したことを特徴とする。
【００１６】
請求項５の構成により空気の吸排気の行われる吸気孔と排気孔との間に、発熱部品の実装された電源基板が配置されるので、筐体内で発生する高温の空気を効率的に筐体の外部へと排出することが可能となる。
【発明の効果】
【００１７】
請求項１に係る表示装置によれば、映像を表示する表示パネルを筐体に収納した表示装置において、前記表示パネルの動作時に前記筐体内で発熱する発熱部品を備え、前記筐体の上面にこの筐体内で高温になった空気を排出する複数の排気孔を設けると共に、前記筐体の下面に外気を取り入れる複数の吸気孔を設けたものであり、自然対流によりキャビネット内の空気を自動的に吸排気することで冷却でき、従来のように、送風ファンで強制的に排気を行うことなく、表示装置の温度上昇を確実に抑えることができる。従って、従来の送風ファンを使用した製品と比較して、表示装置を安価な製品とすることが可能となる。なお、ここで言う「安価な製品」とは、送風ファンなどの比較的高価な部品を使用しないことに加え、表示装置を組み立てる際の作業時間、作業工程数、及び作業人員の削減も含まれる。
【００１８】
請求項２に係る表示装置によれば、映像を表示する表示パネルをフロントキャビネット内に組み付け、このフロントキャビネットと一体的に組み付けられるバックキャビネットを備えた表示装置において、前記表示パネルの動作時に高温に発熱する発熱部品を前記フロントキャビネットとバックキャビネットとからなる筐体内に備え、前記バックキャビネットの上面に前記筐体内で高温になった空気を排出する複数の排気孔を設けると共に、前記バックキャビネットの下面に外気を取り入れる複数の吸気孔を設けたものであり、自然対流によりキャビネット内の空気を自動的に吸排気することで冷却できるので、表示装置の温度上昇を確実に抑えることができ、従来のように、送風ファンを使用しなくてもよいので、表示装置の低コスト化を図ることが可能となる。
【００１９】
請求項３に係る表示装置によれば、前記高温になった空気を前記排気孔に誘導する遮蔽板を前記筐体内の上部に設けたので、自然対流により上昇した空気を、排気孔に誘導させ、筐体の外部にスムーズに排出することができるので、熱の影響で劣化や故障し易い種々の部品が筐体内に備えられていたとしても、それらへの悪影響を解消することが可能となり、さらに、送風ファンを使用しないので、送風ファンの回転に伴う騒音や、送風ファンへの電気的接続配線も不要となることから、組み立て作業時間の短縮化を図ることが可能となる。
【００２０】
請求項４に係る表示装置によれば、前記発熱部品が、表示パネルを動作させるための電源基板に実装してあり、前記電源基板には前記発熱部品の熱を放出する放熱部材を備えたものであり、筐体内において比較的大きな発熱量を有する発熱部品を備えた電源基板の熱が放熱部材を介して前記筐体内に放出されるが、この熱による高温の空気を送風ファンなどの強制的な別部材を使用することなく複数の排気孔及び吸気孔によって外部に自動的に排出することが可能となる。
【００２１】
請求項５に係る表示装置によれば、前記電源基板を筐体に設けた外気を取り入れる複数の吸気孔と前記筐体内で高温になった空気を排出する複数の排気孔との間で表示パネルの背面側に配置したので、自然対流による筐体内の冷却をより効率的に行うことが可能となる。
【発明を実施するための最良の形態】
【００２２】
以下、本発明を実施するための最良の形態としての実施例を図１〜図４を参照して説明する。もちろん、本発明は、その発明の趣旨に反さない範囲で、実施例において説明した以外のものに対しても容易に適用可能なことは説明を要するまでもない。
【００２３】
図１は本発明の一例を示す表示装置を背面側から視た状態を示す斜視図である。表示装置１の樹脂製の筐体２は、フロントキャビネット３とバックキャビネット４とがほぼ箱型に一体的に組み付けられ、奥行き寸法が小さいことが特徴として挙げられ、バックキャビネット４の下面には、外部から筐体２内に空気を取り入れるための吸気孔１０が複数形成され、表示装置１の下部には、筐体２を所定の姿勢で保持する支持スタンド１１が一体的に取り付けられている。なお、フロントキャビネット３の前面側には後述する映像を表示する表示パネルが組み付けられている。
【００２４】
図２はスタンドを取り外した表示装置を背面側から視た状態を示す斜視図である。同図に示すように、バックキャビネット４には、その上面である傾斜部４ａに筐体２内の空気を排出するための排気孔１２が複数形成されていると共に、その下面の傾斜部４ｂには外気を取り入れるための吸気孔１０が複数形成されている。
【００２５】
図３は表示装置を側面から視た状態を示す断面図であり、図４はバックキャビネットを取り外した表示装置を背面側から視た状態を示す斜視図である。これらの図を参照しながら、表示装置１の内部構造について以下に説明する。
【００２６】
符号２０は、映像を表示する前述した表示パネルであり、表示パネル２０の背面には、前記表示パネル２０を動作させるための回路を構成する電源基板２１が取り付けられている。この電源基板２１には、表示装置１の動作時に高温となる変圧器などの発熱部品２２と、この発熱部品２２の熱を放出する放熱部材２３などが実装されている。また、表示装置１は、筐体２内に音声を出力するスピーカ、表示装置１の全体を制御する制御基板、シールド部材等、複数の部品によって構成されているが、本発明の内容を説明する上では特に関係しないため、本実施例ではその詳細を省略する。なお、放熱部材２３の材質は、熱伝導率の高いアルミニウム製であり、発熱部品２２の熱が電源基板２１を介して放熱部材２３に伝導されるので、その熱を後述する自然対流によって効果的に冷却することができる。
【００２７】
バックキャビネット４の上面及び下面には、図２及び図３に示すように、前述した排気孔１２及び吸気孔１０が貫通して形成されており、電源基板２１に実装された発熱部品２２の発熱に伴い、筐体２内の空気が熱くなり温度上昇した際、熱せられた空気は、バックキャビネット４の上面の排気孔１２から排出され、前記排気孔１２から空気が排出されるのに従って、バックキャビネット４の下面に形成した吸気孔１０から外気が取り込まれる。つまり、筐体２内で熱くなった空気は、自然対流により上昇することで、バックキャビネット４の上面に形成した排気孔１２から自動的に排出され、これに伴い、外気が吸気孔１０から筐体２内に流入し、流入した空気が前記筐体２内で熱くなった空気を、さらに上方へと押し上げる。従って、従来のように強制的に排出する送風ファンを設けなくても、筐体２内で熱くなった空気を、外部にスムーズに排気でき、別途送風ファンを具備する必要もなく、部品点数を少なくし製品のコストアップを抑えることが可能となっている。
【００２８】
符号３０は筐体２内の上部に取り付けた遮蔽板である。この遮蔽板３０は、電源基板２１の上方位置に取り付けられ、図４に示すように、電源基板２１の幅寸法よりも長くなっており（電源基板の幅寸法Ｘ≦遮蔽板の長さ寸法Ｙ）、電源基板２１に実装された発熱部品２２による熱の発生により、筐体２内の熱くなった空気が上昇した際、前記筐体２内の上部に、電源基板２１からの高温の空気が直接当たることを防止することで、筐体２が熱変形することを防止でき、さらに、遮蔽板３０は、筐体２内で上昇する熱くなった空気が、前記筐体２の上部の空間部Ｓに蓄積しないよう、前記筐体２内の上部に設けられており、上昇した空気が遮蔽板３０の表面に沿って誘導され、排気孔１２から排出されるようになっている。
【００２９】
また、複数の排気孔１２の形成範囲は、図１に示すように、前述した遮蔽板３０の長さ寸法Ｙよりも長い幅寸法の範囲で形成されている。その結果、電源基板２１の幅寸法Ｘと、遮蔽板３０の長さ寸法Ｙと、前記遮蔽板３０の上方に位置する複数の排気孔１２の形成範囲の幅寸法Ｚとの関係は、Ｘ≦Ｙ≦Ｚとなっている。
【００３０】
そして、複数の排気孔１２は、比較的小さい直径でバックキャビネット４に形成されているので、塵埃が筐体２内に進入することを可及的に防止でき、また、仮に塵埃が排気孔１２から筐体２内に進入したとしても、遮蔽板３０が電源基板２１の上部に配置された構造としていることから、発熱部品を実装した電源基板２１に塵埃が積もることを回避することができる。
【００３１】
なお、吸気孔１０と排気孔１２の直径は３ｍｍ〜５ｍｍが好ましく、具体的には、３．５ｍｍである。
【００３２】
以上のように本発明の一例によれば、映像を表示する表示パネル２０の動作時において、筐体２内に設けた発熱部品が実装された電源基板２１などの発熱により、高温になった空気を、バックキャビネット４の上面と下面の傾斜部４ａ，４ｂに複数形成した排気孔１２と吸気孔１０とにより、送風ファンを利用せずに自然対流により吸排気することができるので、前記筐体２内で高温になった空気を確実に排出して冷却することができる。また、送風ファンやこの送風ファンに通電するための配線等も必要なく、部品点数の削減化を図ることで製造効率を向上することができるので、製造コストを抑えることができ、しかも送風ファンを使用しないことで、この送風ファンの駆動に伴う、耳障りな騒音を解消することができる。
【００３３】
さらに、遮蔽板３０が筐体２内の上部に設けられているので、前記筐体２内で高温となった空気が自然対流により上昇し、上昇した空気の一部が遮蔽板３０に当たると、この空気は、遮蔽板３０の表面に沿って移動され、排気孔１２を介して筐体２の外部に排出されるので、例えば、筐体２の上部に隙間などを有していても、こうした隙間に上昇した高温の空気が流入してしまい、熱籠もりすることを抑えることが可能となる。従って、熱の影響で、樹脂性の筐体２が変形したり、或いは劣化や故障し易い種々の部品が前記筐体２内の上部などに備えられていたとしても、それらへの悪影響を解消することができる。さらに、送風ファンを使用しないので、送風ファンの回転に伴う騒音や、送風ファンへの電気的接続配線も不要となることから、組み立て作業時間の短縮化を図ることが可能となり、部品点数を少なくすることで故障の要因も軽減される。
【００３４】
なお、本発明における放熱構造では、筐体２内部の高温を前記筐体２の外部へと排出し、あわせて外気の取り込みを行うことを可能としており、電源基板２１に実装された発熱部品２２より発生する熱のみを筐体２の外部へと排出することに限定するものではなく、前記筐体２の内部に収納された他の構成部品より発生する熱の排出も含まれており、例えば、表示パネル２０や制御基板などからも筐体２内の温度上昇の要因となる熱の発生はあり、これらの熱により高温となる空気の排出も本発明の構造によれば可能である。
【００３５】
又、本発明の放熱構造を備えた表示装置は実施例に示す表示装置に限定するものではなく、例えば、ディスク状の記憶媒体の記録や再生を可能とした記録／再生ユニットや、ハードディスクユニット、或いは複数の記憶媒体の読み込み又は書き込み若しくは読み書きを可能としたユニットなどを表示装置の筐体内部に内蔵した電子複合機器においても適用可能である。
【図面の簡単な説明】
【００３６】
【図１】本発明の一例を示す表示装置を背面側から視た状態を示す斜視図である。
【図２】同上、スタンドを取り外した表示装置を背面側から視た状態を示す斜視図である。
【図３】同上、表示装置を側面から視た状態を示す断面図である。
【図４】同上、バックキャビネットを取り外した表示装置を背面側から視た状態を示す斜視図である。
【符号の説明】
【００３７】
１  表示装置
２  筐体
３  フロントキャビネット
４  バックキャビネット
１０  吸気孔
１２  排気孔
２０  表示パネル
２１  電源基板
３０  遮蔽板
【図１】
2007086444.tif 000003
【図２】
2007086444.tif 000004
【図３】
2007086444.tif 000005
【図４】
2007086444.tif 000006